(57)【要約】【課題】  画像データに含まれる被写体の形状に関する情報を容易に取得することができる撮像装置を提供する。【解決手段】  撮像の対象の被写体である対象被写体と、対象被写体の形状を特定する基準の被写体である基準被写体と、が含まれる画像データを取得する撮像部と、基準被写体の形状に関する基準被写体形状情報が記憶される記憶部と、画像データにおける対象被写体の画像領域と基準被写体の画像領域とを特定する領域特定部と、基準被写体の画像領域と基準被写体形状情報とに基づいて、対象被写体の形状に関する情報である対象被写体形状情報を生成する被写体形状情報生成部と、対象被写体形状情報に基づいて画像データの出力サイズを決定する出力サイズ決定部と、を有してなる。【選択図】図５
2015159345.tif 000002
【特許請求の範囲】
【請求項１】
撮像の対象の被写体である対象被写体と、前記対象被写体の形状を特定する基準の被写体である基準被写体と、が含まれる画像データを取得する撮像部と、
前記基準被写体の形状に関する基準被写体形状情報が記憶される記憶部と、
前記画像データにおける前記対象被写体の画像領域と前記基準被写体の画像領域とを特定する領域特定部と、
前記基準被写体の画像領域と前記基準被写体形状情報とに基づいて、前記対象被写体の形状に関する情報である対象被写体形状情報を生成する被写体形状情報生成部と、
前記対象被写体形状情報に基づいて前記画像データの出力サイズを決定する出力サイズ決定部と、
を有してなる、
ことを特徴とする撮像装置。
【請求項２】
前記領域特定部は、前記画像データにおける前記基準被写体の画像領域に基づいて前記対象被写体の画像領域を特定する、
請求項１記載の撮像装置。
【請求項３】
特定された前記基準被写体の画像領域と前記基準被写体形状情報とに基づいて、前記対象被写体の画像領域を補正する補正部、
を有する、
請求項１または２記載の撮像装置。
【請求項４】
前記画像データを表示する表示部と、
特定された前記基準被写体の画像領域と前記基準被写体形状情報とに基づいて、前記表示部に前記対象被写体を撮像する領域を示す対象被写体撮像ガイドを表示する撮像ガイド表示生成部と、
を有する、
請求項１乃至３のいずれかに記載の撮像装置。
【請求項５】
前記対象被写体形状情報には、前記対象被写体の寸法情報が含まれ、
前記基準被写体形状情報には、前記基準被写体の寸法情報が含まれる、
請求項１乃至４のいずれかに記載の撮像装置。
【請求項６】
前記基準被写体は、前記対象被写体の周囲を囲む枠体である、
請求項１乃至５のいずれかに記載の撮像装置。
【請求項７】
前記枠体の形状は、矩形である、
請求項６記載の撮像装置。
【請求項８】
前記対象被写体形状情報と前記出力サイズとを前記画像データに対応付けて保存する画像データ保存部、
を有する、
請求項１乃至７のいずれかに記載の撮像装置。
【請求項９】
撮像の対象の被写体である対象被写体と、前記対象被写体の形状を特定する基準の被写体である基準被写体と、が含まれる画像データを取得するステップと、
前記画像データにおける前記対象被写体の画像領域と前記基準被写体の画像領域とを特定するステップと、
前記基準被写体の画像領域と前記基準被写体の形状に関する基準被写体形状情報とに基づいて、前記対象被写体の形状に関する情報である対象被写体形状情報を生成するステップと、
前記対象被写体形状情報に基づいて前記画像データの出力サイズを決定するステップと、
を実行する、
ことを特徴とする撮像方法。
【請求項１０】
コンピュータを、請求項１乃至８のいずれかに記載の撮像装置として機能させる、
ことを特徴とする撮像プログラム。
【請求項１１】
画像データから出力画像を出力する画像出力装置であり、
前記画像データは、請求項１乃至８のいずれかに記載の撮像装置により取得され、
前記対象被写体形状情報に基づいて決定された前記画像データの出力サイズにより前記出力画像を出力する画像出力部、
を有してなる、
ことを特徴とする画像出力装置。
【請求項１２】
撮像の対象の被写体である対象被写体と、前記対象被写体の形状を特定する基準の被写体である基準被写体と、が含まれる画像データを取得するステップと、
前記画像データにおける前記対象被写体の画像領域と前記基準被写体の画像領域とを特定するステップと、
前記基準被写体の画像領域と前記基準被写体の形状に関する基準被写体形状情報とに基づいて、前記対象被写体の形状に関する情報である対象被写体形状情報を生成するステップと、
前記対象被写体形状情報に基づいて前記画像データの出力サイズを決定するステップと、
前記対象被写体形状情報に基づいて決定された前記画像データの出力サイズにより前記出力画像を出力するステップと、
を実行する、
ことを特徴とする画像出力方法。
【請求項１３】
コンピュータを、請求項１１記載の画像出力装置として機能させる、
ことを特徴とする画像出力プログラム。
【請求項１４】
撮像の対象の被写体である対象被写体と、前記対象被写体の形状を特定する基準の被写体である基準被写体と、が含まれる画像データを取得するステップと、
前記画像データにおける前記対象被写体の画像領域と前記基準被写体の画像領域とを特定するステップと、
前記基準被写体の画像領域と前記基準被写体の形状に関する基準被写体形状情報とに基づいて、前記対象被写体の形状に関する情報である対象被写体形状情報を生成するステップと、
前記対象被写体形状情報に基づいて前記画像データの出力サイズを決定するステップと、
前記対象被写体形状情報に基づいて決定された前記画像データの出力サイズにより印刷物を生産するステップと、
を実行する、
ことを特徴とする印刷物の生産方法。
【発明の詳細な説明】
【技術分野】
【０００１】
本発明は、撮像装置と、撮像方法と、撮像プログラムと、画像出力装置と、画像出力方法と、画像出力プログラムと、印刷物の生産方法とに関するものである。
【背景技術】
【０００２】
犯罪捜査において、犯人に結びつく現場資料をより多く採取することは、捜査の科学的裏づけを高め、犯罪の早期解決につながる。犯罪現場から採取できる代表的なものとして、容疑者の足跡の情報がある。
【０００３】
足跡の情報を解析することにより、容疑者の人数、身長、性別、身に着けていた靴の種類やメーカなどの様々な情報が入手できる。また、足跡の情報を解析することにより、容疑者の犯行時の行動なども推測することができる。
【０００４】
採取した足跡の情報から様々な情報を引き出すには、解析しやすい原寸大の足跡のサンプルを採取することが課題となる。原寸大の足跡のサンプル採取を実現することで、鑑識捜査により引き出すことができる足跡の情報の精度は向上し、容疑者の特定に繋がる情報を得やすくなる。
【０００５】
なお、足跡のサンプルを採取する技術として、地面などにある足跡パターンを間接媒体(例えば、粘着シートフィルム、石膏標本、パップシート)に転写し、転写した足跡のサンプルを撮像して原寸印刷する技術が開示されている（例えば、特許文献１参照）。
【０００６】
しかしながら、従来の足跡のサンプルを採取した後に足跡画像を撮像する技術では、間接媒体により現場で足跡のサンプルを採取した後、足跡のサンプルを撮像装置により撮像する。つまり、従来の技術では、足跡画像を取得するための手間がかかる上に、採取した足跡のサンプルを現場から移動させる必要があるため、移動中に足跡のサンプルが汚損してしまうおそれがある。
【０００７】
また、足跡のサンプルを採取するための間接媒体や足跡の撮影装置は、高額であるという問題もある。
【０００８】
さらに、従来の技術では、撮像された足跡画像には被写体である足跡の寸法などの形状に関する情報が対応付けられていないため、撮像された足跡画像から、足跡の形状に忠実な形状の足跡画像を出力することができない。
【発明の概要】
【発明が解決しようとする課題】
【０００９】
本発明は、画像データに含まれる被写体の形状に関する情報を容易に取得することができる撮像装置を提供することを目的とする。
【課題を解決するための手段】
【００１０】
本発明は、撮像の対象の被写体である対象被写体と、対象被写体の形状を特定する基準の被写体である基準被写体と、が含まれる画像データを取得する撮像部と、基準被写体の形状に関する基準被写体形状情報が記憶される記憶部と、画像データにおける対象被写体の画像領域と基準被写体の画像領域とを特定する領域特定部と、基準被写体の画像領域と基準被写体形状情報とに基づいて、対象被写体の形状に関する情報である対象被写体形状情報を生成する被写体形状情報生成部と、対象被写体形状情報に基づいて画像データの出力サイズを決定する出力サイズ決定部と、を有してなる、ことを特徴とする。
【発明の効果】
【００１１】
本発明によれば、画像データに含まれる被写体の形状に関する情報を容易に取得することができる。
【図面の簡単な説明】
【００１２】
【図１】本発明に係る撮像装置の実施の形態を示す正面図である。
【図２】図１の撮像装置の上面図である。
【図３】図１の撮像装置の背面図である。
【図４】図１の撮像装置の機能構成例を示す機能ブロック図である。
【図５】図１の撮像装置により足跡画像を撮像する例を示す模式図である。
【図６】図５の足跡の画像から足跡の寸法を算出する様子を示す模式図である。
【図７】図１の撮像装置により足跡画像を撮像する別の例を示す模式図である。
【図８】図１の撮像装置により足跡画像を撮像するさらに別の例を示す模式図である。
【図９】足跡画像を撮像する際の足跡スケールの選択画面の例を示す模式図である。
【図１０】上記スケール枠の寸法設定画面の例を示す模式図である。
【図１１】図１の撮像装置による撮像方法を示すフローチャートである。
【図１２】図１の撮像装置による足跡認識処理を示すフローチャートである。
【図１３】図１の撮像装置による足跡撮像ガイド表示画面の例を示す模式図である。
【図１４】図１の撮像装置による足跡撮像ガイド表示画面の別の例を示す模式図である。
【図１５】足跡スケール画像に歪みが生じた場合のモニタリング画像を示す模式図である。
【図１６】図１５の足跡スケール画像の各辺の線分長を示す模式図である。
【図１７】図１の撮像装置の撮像素子傾斜機構の例を示す模式図である。
【図１８】図１の撮像装置による歪み量算出処理の原理を説明する模式図である。
【図１９】上記足跡撮像ガイド表示の別の例を示す模式図である。
【図２０】図１の撮像装置の通常ＡＦ枠を示す模式図である。
【図２１】図１の撮像装置の足跡画像ＡＦ枠を示す模式図である。
【図２２】図１１の足跡画像ＡＦ枠に複数の足跡画像が含まれた場合を示す模式図である。
【図２３】本発明に係る画像出力装置の実施の形態を示す概略構成図である。
【図２４】図２３の画像出力装置による画像出力方法を示すフローチャートである。
【発明を実施するための形態】
【００１３】
以下、本発明に係る撮像装置と、撮像方法と、撮像プログラムと、画像出力装置と、画像出力方法と、画像出力プログラムと、印刷物の生産方法との実施の形態について、図面を参照しながら説明する。
【００１４】
●撮像装置●
まず、本発明に係る撮像装置の実施の形態について説明する。本実施の形態に係る撮像装置は、例えば犯罪現場における容疑者の足跡を撮像して、足跡から容疑者の人数や身長など容疑者の特徴に関する情報を得るためのカメラとして適用される。
【００１５】
そして、本実施の形態に係る撮像装置は、撮像の対象の被写体である対象被写体として足跡を撮像し、足跡を撮像して得られる画像データ（足跡画像）から対象被写体の形状に関する情報である対象被写体形状情報（足跡の寸法情報）を生成する。
【００１６】
ただし、本発明に係る撮像装置の用途はこれに限定されない。すなわち、本発明に係る撮像装置は、例えば、スーパー、コンビニエンスストア等に設置される監視用カメラとしても適用することができる。また、本発明に係る撮像装置は、鉄道、船舶、鉄道等の安全装置やＦＡ（Factory Automation）分野の撮像装置としても適用することができる。
【００１７】
●撮像装置の構成
図１は、本発明に係る撮像装置の実施の形態を示す正面図である。同図に示すように、撮像装置１の筐体であるカメラボディＣＢの正面には、ストロボ発光部３、ファインダ４の対物面、リモコン受光部６及び撮像レンズを含む撮像光学系を構成する鏡胴ユニット７が配置されている。カメラボディＣＢの一方の側面部には、メモリカード装填室及び電池装填室の蓋２が設けられている。
【００１８】
図２は、撮像装置１の上面図である。同図に示すように、カメラボディＣＢの上面には、レリーズスイッチＳＷ１が配置されている。また、カメラボディＣＢの上面には、モードダイヤルＳＷ２及びサブ液晶ディスプレイ（サブＬＣＤ（Liquid Crystal Display）１１が配置されている。なお、以下の説明において「液晶ディスプレイ」を「ＬＣＤ」という。
【００１９】
図３は、撮像装置１の背面図である。同図に示すように、カメラボディＣＢの背面には、ファインダ４の接眼部、ＡＦ（Auto Focus）用の発光ダイオード８が配置されている。なお、以下の説明において「発光ダイオード」を「ＬＥＤ（Light Emitting Diode）」という。また、同図に示すように、ストロボＬＥＤ９、被写体画像と拡大画像及び各種設定画面を表示する表示部としてのＬＣＤモニタ１０が配置されている。
【００２０】
また、図３に示すように、カメラボディＣＢの背面には、電源スイッチ１３、広角方向ＺＯＯＭスイッチＳＷ３、望遠方向ズームスイッチＳＷ４、セルフタイマの設定及び解除スイッチＳＷ５、メニュースイッチＳＷ６が配置されている。
【００２１】
また、図３に示すように、カメラボディＣＢの背面には、上移動及びストロボセットスイッチＳＷ７、右移動スイッチＳＷ８、ディスプレイスイッチＳＷ９、下移動及びマクロスイッチＳＷ１０が配置されている。
【００２２】
さらに、図３に示すように、カメラボディＣＢの背面には、左移動及び画像確認スイッチＳＷ１１、ＯＫスイッチＳＷ１２、クイックアクセススイッチＳＷ１３が配置されている。
【００２３】
●撮像装置の機能ブロック
次に、撮像装置１の機能ブロックの例について説明する。図４は、撮像装置１の機能構成例を示す機能ブロック図である。撮像装置１の各種動作（処理）は、デジタル信号処理ＩＣ（Integrated Circuit）等で構成されるデジタルスチルカメラプロセッサ１０４（以下「プロセッサ１０４」という。）と、プロセッサ１０４において動作する撮像プログラムによって制御される。
【００２４】
画像処理手段であるプロセッサ１０４は、第１のＣＣＤ（Charge Coupled Device）信号処理ブロック１０４−１と、第２ＣＣＤ信号処理ブロック１０４−２とを有する。また、プロセッサ１０４は、ＣＰＵ（Central Processing Unit）ブロック１０４−３と、ローカルＳＲＡＭ（Static Random Access Memory）１０４−４とを有する。
【００２５】
また、プロセッサ１０４は、ＵＳＢ（Universal Serial Bus）ブロック１０４−５と、シリアルブロック１０４−６とを有する。また、プロセッサ１０４は、ＪＰＥＧ（Joint Photographic Experts Group）ＣＯＤＥＣブロック１０４−７と、リサイズ（ＲＥＳＩＺＥ）ブロック１０４−８とを有する。
【００２６】
また、プロセッサ１０４は、ＴＶ信号表示ブロック１０４−９と、メモリカードコントローラブロック１０４−１０と、を有してなる。これら各ブロックは相互にバスラインで接続されている。
【００２７】
プロセッサ１０４の外部には、ＲＡＷ−ＲＧＢ画像データ、ＹＵＶ画像データ及びＪＰＥＧ画像データを保存するためのＳＤＲＡＭ（Synchronous Dynamic Random Access Memory）１０３が配置されている。また、プロセッサ１０４の外部には、ＲＡＭ（Random Access Memory）１０７が配置されている。
【００２８】
さらに、プロセッサ１０４の外部には、内蔵メモリ１２０及び撮像プログラムである制御プログラムが格納されているＲＯＭ（Read Only Memory）１０８が配置されている。ＳＤＲＡＭ１０３とＲＡＭ１０７とＲＯＭ１０８は、バスラインを介してプロセッサ１０４に接続している。
【００２９】
プロセッサ１０４は、ＲＯＭ１０８に格納されている各種制御プログラムを実行し、各種制御プログラムによる機能を実現する。
【００３０】
ＳＤＲＡＭ１０３は、フレームメモリに相当する。ＲＯＭ１０８に格納されている各種制御プログラムには、本発明に係る撮像装置の動作を実現するプログラムである、撮像プログラムが含まれる。
【００３１】
つまり、撮像装置１において、ＲＯＭ１０８に格納される撮像プログラムをプロセッサ１０４に実行させ、ＳＤＲＡＭ１０３、ＲＡＭ１０７、及び記憶部に相当する内蔵メモリ１２０を使用することにより、本発明に係る撮像方法を実行している。すなわち、撮像装置１は、本発明に係る撮像装置の撮像部と記憶部と被写体形状情報生成部と領域特定部と出力サイズ決定部と補正部と表示部と撮像ガイド表示生成部と画像データ保存部との機能を有する。
【００３２】
プロセッサ１０４は、主にＣＰＵブロック１０４−３等がバスで接続されたコンピュータを実体とし、ＲＯＭ１０８に記憶された撮像プログラムをＣＰＵブロック１０４−３が実行する。つまり、プロセッサ１０４では、以上の構成により画像データに対して以下で説明する撮像方法における足跡認識処理が行われる。
【００３３】
撮像プログラムは、あらかじめＲＯＭ１０８に記憶される。ここで、撮像プログラムは、メモリカード１９２に記憶させて、メモリカードスロット１９１を介してＲＯＭ１０８に読み込むことができる。あるいは、撮像プログラムは、ネットワーク（不図示）を介してＲＯＭ１０８にダウンロードしてもよい。
【００３４】
撮像光学系を構成する鏡胴ユニット７は、ＺＯＯＭレンズ７−１ａを有するＺＯＯＭ光学系７−１、ＦＯＣＵＳレンズ７−２ａを有するＦＯＣＵＳ光学系７−２、絞り７−３ａ、を有する絞りユニット７−３を備える。また、鏡胴ユニット７は、メカニカルシャッタ（メカシャッタ）７−４ａを有するメカシャッタユニット７−４を備える。
【００３５】
ＺＯＯＭ光学系７−１は、ＺＯＯＭモータ７−１ｂによって駆動される。また、ＦＯＣＵＳ光学系７−２は、ＦＯＣＵＳレンズ移動手段としてのＦＯＣＵＳモータ７−２ｂによって駆動される。また、絞りユニット７−３は、絞りモータ７−３ｂによって駆動される。さらに、メカシャッタユニット７−４は、メカシャッタモータ７−４ｂによって駆動される。
【００３６】
ＺＯＯＭモータ７−１ｂ、ＦＯＣＵＳモータ７−２ｂ、絞りモータ７−３ｂ及びメカシャッタモータ７−４ｂの各モータは、モータドライバ７−５によって駆動される。モータドライバ７−５はプロセッサ１０４のＣＰＵブロック１０４−３によって動作が制御される。
【００３７】
鏡胴ユニット７を構成するズームレンズ７−１ａとＦＯＣＵＳレンズ７−２ａは、撮像素子であるＣＣＤ１０１の受光面上に被写体像を結像させる撮像レンズを構成する。ＣＣＤ１０１は、受光面に結像された被写体像を電気的な画像信号に変換してＦ／Ｅ（Front/End）−ＩＣ１０２に出力する。
【００３８】
なお、撮像装置１において、撮像素子は、ＣＣＤに限定されず、例えばＣＭＯＳ（Complementary Metal Oxide Semiconductor）を用いてもよい。
【００３９】
Ｆ／Ｅ−ＩＣ１０２は、ＣＤＳ（相関２重サンプリング部）１０２−１、ＡＧＣ（Auto Gain Control）１０２−２及びＡ／Ｄ（Analog/Digital）変換部１０２−３を有する。
【００４０】
Ｆ／Ｅ−ＩＣ１０２は、被写体像から変換された画像信号に対して、所定の処理を施し、デジタル信号に変換する。変換されたデジタル画像信号は、第１ＣＣＤ信号処理ブロック１０４−１に入力される。これらの信号処理動作は、プロセッサ１０４の第１ＣＣＤ信号処理ブロック１０４−１から出力されるＶＤ信号（垂直駆動信号）とＨＤ信号（水平駆動信号）により、ＴＧ（Timing Generator）１０２−４を介して制御される。
【００４１】
第１ＣＣＤ信号処理ブロック１０４−１は、ＣＣＤ１０１からＦ／Ｅ−ＩＣ１０２を経由して入力されたデジタル画像データに対して、ホワイトバランス調整及びγ調整等の信号処理を行うとともに、ＶＤ信号及びＨＤ信号を出力する。
【００４２】
また、ＣＰＵブロック１０４−３は、不図示のストロボ回路を制御して動作させることによってストロボ発光部３から照明光を発光させる。
【００４３】
ＵＳＢブロック１０４−５は、ＵＳＢコネクタ１２２に結合される。シリアルブロック１０４−６は、シリアルドライバ回路１２３−１を介してＲＳ−２３２Ｃコネクタ１２３−２に結合される。
【００４４】
ＴＶ信号表示ブロック１０４−９は、ＬＣＤドライバ１１７を介してＬＣＤモニタ１０に結合され、また、ＴＶ信号表示ブロック１０４−９は、ビデオアンプ（ＡＭＰ）１１８を介してビデオジャック１１９にも結合される。
【００４５】
メモリカードコントローラブロック１０４−１０は、メモリカードスロット１９１のカード接点に結合されている。メモリカード１９２がメモリカードスロット１９１に装填されると、メモリカード１９２の接点に接触して電気的に接続され、装填されたメモリカード１９２に画像ファイルを記憶する。
【００４６】
●撮像装置の動作
次に、撮像装置１の動作について説明をする。図１から図３に示した撮像装置１において、モードダイヤルＳＷ２を操作し、「記録モード（撮影モード）」を選択すると、撮像装置１は記録モードでの動作を開始する。より詳しくは、図３に示した操作ｋｅｙユニット（ＳＷ１〜ＳＷ１３）に含まれるモードダイヤルＳＷ２の状態が記録モード−オンになったことを、ＣＰＵブロック１０４−３が検知することで、撮像装置１は、記録モードでの動作を開始する。
【００４７】
ＣＰＵブロック１０４−３はモータドライバ７−５を制御し、鏡胴ユニット７を撮像可能な位置に移動させる。さらに、ＣＣＤ１０１、Ｆ／Ｅ−ＩＣ１０２及びＬＣＤモニタ１０等の各部に電源が投入されて動作が開始される。各部の電源が投入されると、ファインダモードでの動作が開始する。
【００４８】
ファインダモードで動作中の撮像装置１は、撮像レンズを介してＣＣＤ１０１の受光面に結像された被写体像に係る画像信号がＣＤＳ１０２−１に出力される。このアナログＲＧＢ信号は、ＡＧＣ（自動利得制御回路）１０２−２を介してＡ／Ｄ変換部１０２−３にてデジタル画像信号に変換される。
【００４９】
第１ＣＣＤ信号処理ブロック１０４−１は、Ａ／Ｄ変換部１０２−３から取り込んだデジタルＲＧＢ信号より、画面の合焦度合いを示すＡＦ（Auto Focus）評価値を算出する。
【００５０】
また、第１ＣＣＤ信号処理ブロック１０４−１は、Ａ／Ｄ変換部１０２−３から取り込んだデジタルＲＧＢ信号より、被写体輝度を検出したＡＥ（Automatic Exposure）評価値と、被写体色を検出したＡＷＢ（Auto White Balance）評価値を算出する。
【００５１】
ＡＦ評価値とＡＥ評価値とＡＷＢ評価値は、ＡＥ処理、ＡＦ処理、ＡＷＢ処理それぞれの特徴データとしてＣＰＵブロック１０４−３に読み出されて、ＡＥ処理、ＡＦ処理、ＡＷＢ処理それぞれに利用される。
【００５２】
ＡＦ評価値は、例えば高周波成分抽出フィルタの出力積分値や、近接画素の輝度差の積分値によって作成される。合焦状態にあるときは、被写体のエッジ部分がはっきりとしているため、高周波成分が一番高くなる。被写体のエッジ部分を利用して、ＡＦ処理における合焦検出動作時には、複数のエッジ検出時それぞれのフォーカスレンズ位置におけるＡＦ評価値を取得して、その極大になる点を合焦位置としてＡＦ処理を実行する。
【００５３】
ＡＥ評価値とＡＷＢ評価値は、ＲＧＢのそれぞれの積分値から作成される。つまり、ＡＥ評価値とＡＷＢ評価値は、例えば画面を２５６エリアに等分割し、それぞれのエリアでＲＧＢ積分値により算出される。
【００５４】
第１ＣＣＤ信号処理ブロック１０４−１は、算出されたＲＧＢ積分値を読み出し、ＡＥ処理の場合にはそれぞれのエリアの輝度を算出して、エリアごとの輝度分布からＡＥ処理の制御値を決定する。
【００５５】
また、第１ＣＣＤ信号処理ブロック１０４−１は、算出されたＲＧＢ積分値を読み出し、ＡＷＢ処理の場合にはＲＧＢの分布から光源の色に合わせたＡＷＢ処理の制御値を決定する。なお、以上のＡＥ処理とＡＷＢ処理は、ファインダモード中は連続的に行われている。
【００５６】
デジタル画像信号に含まれるＲ・Ｇ・Ｂの各信号は、プロセッサ１０４内の第２ＣＣＤ信号処理ブロック１０４−２が具備するＹＵＶ変換手段によって、ＹＵＶ画像データに変換される。ＹＵＶ画像データは、第２ＣＣＤ信号処理ブロック１０４−２が具備する圧縮手段によって圧縮されて、フレームメモリとしてのＳＤＲＡＭ１０３に記録される。
【００５７】
なお、第２ＣＣＤ信号処理ブロック１０４−２は、ＲＧＢ画像信号に対してフィルタリング処理等の適切な処理を施してＹＵＶ画像データへと変換する。
【００５８】
ＹＵＶ画像データは、ＣＰＵブロック１０４−３によって読み出されて、ＴＶ信号表示ブロック１０４−９を介してビデオアンプ１１８及びビデオジャック１１９に送られて、これに接続されたＴＶ（テレビジョン）にて表示される。
【００５９】
また、ＣＰＵブロック１０４−３によって読み出されたＹＵＶ画像データは、ＬＣＤドライバ１１７を介してＬＣＤモニタ１０に送られて表示に供される。この処理が１／３０秒間隔で行われて表示が更新され、撮像対象とする被写体をＬＣＤモニタ１０の表示によって視認しながら撮像することができるファインダモードでの動作となる。
【００６０】
ＣＣＤ１０１の駆動モード（駆動条件）は、複数の駆動モードの中から撮像装置１の使用者（ユーザ）が設定することができる。この駆動モードによって、ＣＣＤ１０１から出力される画像信号の出力条件は、変更される。
【００６１】
レリーズスイッチＳＷ１が操作されると、静止画記録処理とともに合焦位置検出であるＡＦ動作が行われる。すなわち、レリーズスイッチＳＷ１が押されると、静止画撮影開始信号を受け付けたＣＰＵブロック１０４−３がフレームレートに同期してモータドライバ７−５を介してＦＯＣＵＳレンズ７−２ａを駆動することにより山登りＡＦを実行する。
【００６２】
合焦範囲が無限遠から至近までの全領域であった場合に、ＦＯＣＵＳレンズ７−２ａは、至近から無限遠、または無限遠から至近までの間の各フォーカス位置を移動する。ＣＰＵブロック１０４−３は、第１ＣＣＤ信号処理ブロック１０４−１で作成された各フレーム（＝各フォーカス位置）におけるＡＦ評価値をＣＰＵブロック１０４−３が読み出す。
【００６３】
モータドライバ７−５は、各フォーカス位置のＡＦ評価値が極大になる点を合焦位置として、ＦＯＣＵＳレンズ７−２ａを合焦位置に移動する。
【００６４】
撮像装置１は、後述の足跡認識処理を行う足跡認識モードを備え、足跡認識モードをＡＥ処理やＡＦ処理に用いる。ここで、足跡認識モードは、メニュースイッチＳＷ６から選択することができる。足跡認識モードが設定されているとき、撮像装置１は、ファインダモード中、足跡認識を定期的に繰り返して行う。
【００６５】
なお、足跡認識モードにおいて被写体から足跡を検出する方法は、一般的な顔認識機能と同様に、あらかじめ準備した足跡の輪郭パターンと、検出した足跡の輪郭エッジまたは輪郭エッジで囲まれた領域と、をパターンマッチングの原理で抽出する方法である。
【００６６】
●足跡認識処理
次に、撮像装置１による足跡認識処理について説明する。
【００６７】
図５は、撮像装置１により足跡画像を撮像する例を示す模式図である。同図に示すように、撮像装置１のユーザは、足跡２０１を撮影する前に、足跡２０１を囲むように基準被写体としての足跡スケール２０２を設置して足跡２０１を撮像する。
【００６８】
ここで、足跡スケール２０２は、対象被写体である足跡の形状を特定する基準となる被写体（基準被写体）の一例である。足跡スケール２０２は、例えば、足跡の周囲を囲む矩形の枠体である。
【００６９】
図６は、図５の足跡の画像から足跡の寸法を算出する様子を示す模式図である。同図に示すように、撮像装置１の撮像部が取得した画像データ３０１には、足跡２０１の画像（足跡画像２０１１）と足跡スケール２０２の画像（足跡スケール画像２０２１）とが含まれる。
【００７０】
ここで、足跡スケール２０２は、縦横の寸法が既知の固定値である。また、撮像装置１の記憶部には、寸法を含む足跡スケールの形状に関する情報である基準被写体形状情報が保存される。つまり、撮像装置１は、画像データ３０１に含まれる足跡スケール画像２０２１の長手方向（長さ方向）の画像領域（画素数）ＳＬと足跡画像２０１１の長手方向の画像領域（画素数）ＦＬとの比率から、足跡２０１の長手方向の寸法を算出する。
【００７１】
また、撮像装置１は、画像データ３０１に含まれる足跡スケール画像２０２１の短手方向（幅方向）の画像領域（画素数）ＳＷと足跡画像２０１１の長手方向の画像領域（画素数）ＦＷとの比率から、足跡２０１の短手方向の寸法を算出する。ここで、本実施の形態における足跡スケール画像２０２１と足跡画像２０１１の画像領域とは、画像データにおける足跡スケール撮像２０２１と足跡画像２０１１の画像サイズを表す。
【００７２】
つまり、撮像装置１は、画像データ３０１に含まれる足跡スケール画像２０２１の画像領域と足跡スケール画像２０２１内の足跡画像２０１１の画像領域との比率から、足跡２０１の長手（縦）方向と短手（横）方向の寸法を算出することができる。
【００７３】
図７は、撮像装置１により足跡画像２０１１を撮像する別の例を示す模式図である。同図に示すように、足跡スケール２０２には、足跡スケール２０２の縦横の寸法、矩形、丸形、あるいは三角形といった、足跡スケール２０２の形状に関する情報を特定するためのバーコード２０３を添付することもできる。
【００７４】
図８は、撮像装置１により足跡画像２０１１を撮像するさらに別の例を示す模式図である。同図に示すように、足跡スケール２０２には、バーコード２０３に代えて、足跡スケール２０２の形状に関する情報を格納するＲＦＩＤ（Radio Frequency IDentification）タグ５０２を添付することもできる。
【００７５】
図９は、足跡画像２０１１を撮像する際の足跡スケールの選択画面１０ａの例を示す模式図である。足跡が小さい場合や足跡が一部しか残っていない場合など、足跡スケールの寸法と足跡の寸法との差が大きい場合には、足跡画像２０１１に基づいて算出した足跡の寸法の誤差が大きくなるおそれがある。このような場合には、同図に示すように、足跡スケールは、足跡の大きさに合わせて複数のサイズを用意し、足跡の大きさに合わせて足跡スケールの選択画面１０ａにより異なるサイズの足跡スケールを選択可能にすることもできる。
【００７６】
図１０は、足跡スケールの寸法設定画面１０ｂの例を示す模式図である。同図に示すように、足跡スケールは、寸法設定画面１０ｂにより足跡の大きさに合わせて任意の寸法に設定することもできる。
【００７７】
●撮像方法●
次に、撮像装置１により実行される、足跡認識処理を含む撮像方法の処理について説明する。
【００７８】
図１１は、撮像装置による撮像方法を示すフローチャートである。同図に示すように、撮像装置１は、ファインダモード時に１／３０秒ごとに画像を更新するため、例えば画像更新の処理に同期して足跡認識処理を実行する（Ｓ１０１）。
【００７９】
図１２は、撮像装置１による足跡認識処理を示すフローチャートである。同図に示すように、撮像装置１は、画像データの中に足跡画像２０１１を認識させるための足跡撮像ガイドを表示する（Ｓ１０１０）。
【００８０】
図１３は、撮像装置１による足跡撮像ガイド表示画面１０ｃの例を示す模式図である。同図に示すように、撮像装置１は、ＬＣＤモニタ１０に表示される足跡撮像ガイド表示画面１０ｃに、足跡２０１と足跡スケール２０２との撮像位置を案内する、足跡撮像ガイド１０ｃ１を表示する。ここで、足跡撮像ガイド１０ｃ１は、ＬＣＤモニタ１０に足跡スケール２０２を撮像する領域を示す対象被写体撮像ガイドに対応する。
【００８１】
また、図１３に示すように、足跡撮像ガイド表示画面１０ｃには、ユーザに対して足跡スケールを足跡撮像ガイド１０ｃ１の枠内に撮像するように指示を促す、足跡スケール撮像指示１０ｃ２が表示される。
【００８２】
足跡撮像ガイド表示画面１０ｃに足跡撮像ガイド１０ｃ１を表示した後、撮像装置１は、足跡撮像のモニタリング画像の画像データを取得する（Ｓ１０１１）。
【００８３】
撮像装置１は、取得したモニタリング画像の画像データに足跡スケール画像２０２１が含まれているか否かを判断する（Ｓ１０１２）。
【００８４】
取得したモニタリング画像の画像データに足跡スケール画像２０２１が含まれていない場合には（Ｓ１０１２：Ｎｏ）、撮像装置１は、足跡スケール撮像指示１０ｃ２をＬＣＤモニタ１０に表示する（Ｓ１０１３）。足跡スケール撮像指示１０ｃ２を表示した後、撮像装置１は、Ｓ１０１２の処理に戻り、モニタリング画像の画像データを取得する。
【００８５】
図１４は、撮像装置１による足跡撮像ガイド表示画面１０ｃの別の例を示す模式図である。同図に示すように、足跡撮像ガイド１０ｃ１と足跡スケール撮像指示１０ｃ２とにより、撮像装置１は、ユーザに対して足跡画像２０１１と足跡スケール画像２０２１とを足跡撮像ガイド１０ｃ１の枠内に撮像するように指示を促す。
【００８６】
取得したモニタリング画像の画像データに足跡スケール画像２０２１が含まれている場合には（Ｓ１０１２：Ｙｅｓ）、撮像装置１は、足跡スケール画像２０２１の歪み量の検出処理を実行する（Ｓ１０１４）。
【００８７】
図１５は、足跡スケール画像２０２１に歪みが生じた場合のモニタリング画像を示す模式図である。同図に示すように、足跡撮像ガイド表示画面１０ｃには、撮像ガイド１０ｃ１の枠内に収まる位置に画像データにおける足跡スケール画像２０２１の位置を移動させるようにユーザに指示する、撮像位置修正指示１０ｃ３が表示される。
【００８８】
図１６は、図１５の足跡スケール画像２０２１の各辺の線分長を示す模式図である。同図に示すように、足跡スケール画像２０２１に歪みが生じた場合には、矩形（長方形）の足跡スケール２０２を撮像しているのにもかかわらず、短辺のうち線分Ａ１の長さは、線分Ｂ１よりも短くなってしまう。また、足跡スケール画像２０２１に歪みが生じた場合には、本来短辺に対して垂直に伸びる長辺が斜めになってしまう。
【００８９】
図１７は、撮像装置１による歪み量算出処理の原理を説明する模式図である。同図に示すように、既知の値である足跡スケール２０２の線分Ａ，Ｂ，Ｃ，Ｄの長さと、画像データの足跡スケール画像２０２１の線分Ａ１，Ｂ１，Ｃ１，Ｄ１の長さとを比較することにより、撮像装置１は、足跡スケール画像２０２１の歪み量を算出する。
【００９０】
撮像装置１は、歪み量検出処理により、足跡スケール画像２０２１に歪みがあるか否か（足跡スケール２０２の各辺の線分の長さと足跡スケール画像２０２１の各辺の線分の長さとの差分があるか否か）を判断する（Ｓ１０１５）。
【００９１】
歪み量検出処理について、撮像装置１は、例えば下記の条件１〜４がすべて成り立つとき、足跡画像２０１１の斜め補正の補正量が最小となるため、足跡画像２０１１の寸法の精度が最も高い場合として撮影する。
【００９２】
条件１：｜Ａ−Ａ１｜≒０
条件２：｜Ｂ−Ｂ１｜≒０
条件３：｜Ｃ−Ｃ１｜≒０
条件４：｜Ｄ−Ｄ１｜≒０
【００９３】
足跡スケール画像２０２１に歪みがない場合には（Ｓ１０１５：Ｎｏ）、撮像装置１は、足跡認識処理を終了し、図１１のフローチャートに戻る。
【００９４】
一方、足跡スケール画像２０２１に歪みがある場合には（Ｓ１０１５：Ｙｅｓ）、撮像装置１が傾いていると判断して、撮像装置１は、撮像装置１の傾きを、不図示の加速度センサや傾きセンサなどにより検出する（Ｓ１０１６）。
【００９５】
撮像装置１の傾きを検出後、撮像装置１は、検出した傾き量が光学系傾斜機構により調整可能な傾き量であるか否かを判断する（Ｓ１０１７）。
【００９６】
検出した傾き量が光学系傾斜機構により調整可能な傾き量ではない場合には（Ｓ１０１７：Ｎｏ）、撮像装置１は、ＬＣＤモニタ１０に撮像位置修正指示を表示する（Ｓ１０１８）。
【００９７】
光学系傾斜機構により調整可能な傾き量である場合には（Ｓ１０１７：Ｙｅｓ）、撮像装置１は、撮像装置１の傾きを調整するために、ＣＣＤ１０１または鏡胴ユニット７の位置を、光学系傾斜機構により歪み量を軽減する方向に移動させる（Ｓ１０１９）。
【００９８】
図１８は、撮像装置１の光学系傾斜機構の例を示す模式図である。同図において、（ａ）は足跡２０１と足跡スケール２０２とを真上方向から撮影した状態、（ｂ）は光学系傾斜機構によりＣＣＤ１０１のみを移動させた状態、（ｃ）は光学系傾斜機構によりＣＣＤ１０１と鏡胴ユニット７とを移動させた状態を示す。
【００９９】
図１８（ａ）に示すように、撮像装置１を使用する場合において、足跡２０１の真上方向から撮像するのが望ましいが、足跡の状況によっては被写体である足跡２０１の真上に撮像装置１を配置するのが難しい環境も考えられる。
【０１００】
そこで、図１８（ｂ）に示すように、足跡２０１ｂと足跡スケール２０２ｂの斜め上方向から撮像するときに、撮像装置１は、光学系傾斜機構により、ＣＣＤ１０１を移動させる。
【０１０１】
また、図１８（ｃ）に示すように、足跡２０１ｃと足跡スケール２０２ｃの斜め上方向から撮像するときに、撮像装置１は、光学系傾斜機構により、ＣＣＤ１０１と鏡胴ユニット７とを移動させる。
【０１０２】
このように、光学系傾斜機構により、撮像装置１は、画像データにおける足跡画像２０１１と足跡スケール画像２０２１との歪み量を軽減する。
【０１０３】
以上説明した足跡認識処理を終了した撮像装置１は、図１１のフローチャートに戻る。
【０１０４】
撮像装置１は、足跡認識処理により行った足跡の認識結果が、所定の認識結果であるか否かを判断する（Ｓ１０２）。
【０１０５】
足跡認識処理により行った足跡の認識結果が、所定の認識結果ではない場合には（Ｓ１０２：Ｎｏ）、撮像装置１は、Ｓ１０１に戻り、所望の認識結果が得られるように再度足跡認識処理を実行する。
【０１０６】
図１９は、撮像装置１の撮像可能表示画面１０ｄの例を示す模式図である。同図に示すように、足跡認識処理により行った足跡の認識結果が、所定の認識結果である場合には（Ｓ１０２：Ｙｅｓ）、撮像装置１は、撮像可能であることをユーザに通知する撮像可能表示１０ｄ１を含む撮像可能表示画面１０ｄをＬＣＤモニタ１０に表示する。撮像ＯＫ表示画面１０ｄの表示後、撮像装置１は、Ｓ１０３以降の処理を実行する。
【０１０７】
撮像装置１は、足跡認識処理の結果に基づいて、ＡＦ・ＡＥエリアの設定を行う（Ｓ１０３）。
図２０は、撮像装置１の通常ＡＦ枠１０ｅ１を示す模式図である。足跡認識処理を行った結果、足跡以外の通常の被写体を認識した場合には、同図に示すように、撮像装置１は、通常の縦横比の通常ＡＦ枠１０ｅ１をＡＦ表示画面１０ｅに表示する。
【０１０８】
図２１は、撮像装置１の足跡画像ＡＦ枠１０ｆ１を示す模式図である。同図に示すように、足跡認識処理を行った結果、足跡２０１を被写体として認識した場合には、撮像装置１は、足跡認識用の足跡画像ＡＦ枠１０ｆ１を設定する。
【０１０９】
図２２は、図２１の足跡画像ＡＦ枠１０ｆ１に複数の足跡画像２０１１，２０３１が含まれた場合を示す模式図である。同図に示すように、撮像装置１は、複数の足跡２０１，２０３が重なり、画像データの中に複数の足跡画像２０１１，２０３１が含まれている場合に、足跡スケール画像２０２１の方向Ｓに基づいて足跡認識処理を行う対象の足跡画像の方向Ｆ１を特定する。
【０１１０】
撮像装置１は、足跡画像２０１１の方向Ｆ１及び足跡画像２０３１の方向Ｆ２と足跡スケール画像２０２１の方向Ｓとを比較し、足跡スケール画像２０２１との角度差が少ない足跡画像２０１１に対して処理を行う。つまり、撮像装置１は、画像データにおける足跡スケール２０２（基準被写体）の画像領域に基づいて足跡２０１（対象被写体）の画像領域を特定する。
【０１１１】
ＡＦ枠の設定後、第１ＣＣＤ信号処理ブロック１０４−１は、ＡＥ処理を実行し、露光量（シャッタースピード、絞り、ＩＳＯ感度など）を設定する（Ｓ１０４）。
【０１１２】
ここで、足跡認識処理の結果からＡＦ・ＡＥの設定を行う際に、撮像装置１は、足跡スケール２０２に合焦せず足跡の寸法を正確に算出することができないおそれがある。そのため、撮像装置１は、検出された足跡２０１と足跡スケール２０２との双方に合焦するようにＡＥ処理を行う。
【０１１３】
ＡＥ処理後、第１ＣＣＤ信号処理ブロック１０４−１は、足跡画像２０１１に対してＡＦ処理を行う（Ｓ１０５）。
【０１１４】
ＡＦ処理により合焦後、撮像装置１は、ＣＣＤ１０１が画像データを取得する撮像処理を行う（Ｓ１０６）。
【０１１５】
撮像した画像データについて、第２ＣＣＤ信号処理ブロック１０４−２は、明るさ補正、輪郭強調、斜め補正などの画像補正処理を行う（Ｓ１０７）。
【０１１６】
画像補正処理後の画像データにおいて、ＣＰＵブロック１０４−３は、上述の通り足跡スケール２０２の寸法に基づいて、足跡の縦横寸法を算出する（Ｓ１０８）。足跡の寸法算出後、ＣＰＵブロック１０４−３は、足跡の寸法情報（対象被写体形状情報）と出力サイズと画像データとを対応付けて保存し、処理を終了する。
【０１１７】
●画像出力装置●
次に、本発明に係る画像出力装置の実施の形態について説明する。本実施の形態に係る画像出力装置は、先に説明した撮像装置１により取得された画像データから出力画像を印刷物として出力（生産）する。
【０１１８】
画像出力装置は、対象被写体形状情報に基づいて決定された画像データの出力サイズにより出力画像を出力する画像出力部を有する。
【０１１９】
ここで、画像出力装置１２１が出力した印刷物（印刷紙）には、対象被写体（足跡）と同形状（寸法が実質的に同じ）の画像（足跡画像）が印刷されている。
【０１２０】
つまり、例えば、対象被写体である足跡の長手方向の長さが２６ｃｍのとき、画像出力装置１２１が出力した印刷物上の足跡画像の長手方向の長さが２６ｃｍである。この画像出力装置１２１が出力する足跡画像の出力サイズは、撮像装置１が基準被写体形状情報に基づいて決定したものであり、画像出力装置１２１は撮像装置１決定した出力サイズに基づいて画像を出力する。
【０１２１】
図２３は、本発明に係る画像出力装置の実施の形態を示す概略構成図である。同図に示すように、本実施の形態に係る画像出力装置１２１は、メモリカード１９２を介して撮像装置１が撮像した画像データを取り込む。同図に示すように、本実施の形態に係る画像出力装置１２１は、ＵＳＢ（Universal Serial Bus），ＬＡＮ（Local Area Network）などのインタフェース１１３を介して撮像装置１が撮像した画像データを取り込む。
【０１２２】
なお、画像出力装置１２１は、画像データを取り込んだコンピュータ１１１とインタフェース１１３を介して接続し画像データを取り込んでもよい。
【０１２３】
コンピュータ１１１には、本発明に係る画像出力方法を実行する画像出力プログラムとして、プリンタドライバがインストールされる。コンピュータ１１１は、ユーザによる画像印刷操作が実行されると、プリンタドライバを呼び出し、画像ファイルを印刷用フォーマットの印刷ファイルに変換する。
【０１２４】
印刷ファイルは、インタフェース１１３を経由して、画像出力装置１２１に転送され印刷される。
【０１２５】
図２４は、図２３の画像出力装置１２１による画像出力方法を示すフローチャートである。同図に示すように、画像出力装置１２１は、コンピュータ１１１の不図示の操作ボタンから、ユーザによる画像データの出力処理の実行操作を受け付ける（Ｓ２０１）。
【０１２６】
画像出力装置１２１は、撮像装置１が取得した画像データをメモリカード１９２またはインタフェース１１３を介してコンピュータ１１１から読み出し、不図示の記憶部に記憶する（Ｓ２０２）。
【０１２７】
画像出力装置１２１は、画像データに対応付けて記憶される足跡画像２０１１の被写体形状情報（足跡寸法情報）を取得する（Ｓ２０３）。
【０１２８】
画像出力装置１２１は、取得した被写体形状情報に基づいて、画像データの出力サイズを特定する（Ｓ２０４）。ここで、画像出力装置１２１は、出力処理の実行操作時に指定された解像度と被写体形状情報の足跡寸法情報とから、例えば以下のように足跡画像２０１１の縦横の出力サイズを主走査方向と副走査方向とのドット数に換算する。
【０１２９】
つまり、足跡２０１の実際の寸法が縦２６ｃｍ、横１０ｃｍであり、画像出力装置１２１の印刷解像度が主走査方向、副走査方向ともに１２００ｄｐｉである場合に、足跡の印刷データのドット数は、以下の値になる。
【０１３０】
副走査方向：２６０ｍｍ÷２５．４ｍｍ×１２００ｄｐｉ＝１２，２８４ｄｏｔ
【０１３１】
主走査方向：１００ｍｍ÷２５．４ｍｍ×１２００ｄｐｉ＝４，７２４ｄｏｔ
【０１３２】
出力サイズの特定後、画像出力装置１２１は、ＲＡＷデータやポストスクリプトデータなどの印刷用足跡画像データを生成し、生成された足跡画像データを、印刷走査時に指定された用紙内に配置し、プリンタの形式に応じて印刷する。（Ｓ２０５）。
【０１３３】
●効果●
以上説明したように、撮像装置１によれば、以下の効果が得られる。
【０１３４】
すなわち、撮像装置１は、画像データにおける足跡スケール２０２の画像サイズと足跡スケール２０２の寸法とに基づいて、足跡２０１の寸法に関する情報を生成し、画像データの出力サイズを決定する。よって、撮像装置１によれば、画像データに含まれる被写体の形状に関する情報を容易に取得することができる。
【０１３５】
また、撮像装置１によれば、画像データにおける足跡スケール２０２の画像領域に基づいて足跡２０１の画像領域を特定するため、複数の被写体があるような場合であっても対象被写体を容易に特定することができる。
【０１３６】
また、撮像装置１によれば、特定された足跡スケール画像２０２２と足跡スケール２０２の形状に関する情報とに基づいて、足跡画像２０１１を補正するため、正確な被写体形状の画像データを容易に取得することができる。
【０１３７】
また、撮像装置１によれば、特定された足跡スケール画像２０２２と基準被写体形状情報とに基づいて、ＬＣＤモニタ１０に足跡撮像ガイド１０ｃ１を表示するため、正確な被写体形状の画像データを容易に取得することができる。
【０１３８】
また、撮像装置１によれば、対象被写体形状情報には、足跡２０１の寸法情報が含まれ、基準被写体形状情報には、足跡スケール２０２の寸法情報が含まれるため、撮像した被写体の寸法を画像データに忠実に再現することができる。
【０１３９】
また、撮像装置１によれば、足跡スケール２０２は、足跡スケール２０１の周囲を囲む枠体（矩形の枠体）であるため、正確な被写体形状の画像データを容易に取得することができる。
【０１４０】
また、撮像装置１によれば、対象被写体形状情報と出力サイズとを画像データに対応付けて保存するため、画像データの出力時に正確な被写体形状の画像データを容易に出力することができる。
【０１４１】
また、以上説明したように、画像出力装置１２１によれば、以下の効果が得られる。
【０１４２】
すなわち、画像出力装置１２１によれば、以上説明した撮像装置１により取得された対象被写体形状情報に基づいて決定された画像データの出力サイズにより出力画像を出力するため、正確な被写体形状の画像データを容易に出力することができる。
【符号の説明】
【０１４３】
１     撮像装置
２     蓋
３     ストロボ発光部
４     ファインダ
６     リモコン受光部
７     鏡胴ユニット
７−１ ＺＯＯＭ光学系
７−２ ＦＯＣＵＳ光学系
７−３ ユニット
７−４ メカシャッタユニット
７−５ モータドライバ
９     ストロボＬＥＤ
１０   ＬＣＤモニタ
１０ｃ１      足跡撮像ガイド
１０ｃ２      足跡スケール撮像指示
１０ｃ１      撮像ガイド
１０ｃ３      撮像位置修正指示
１０ｄ１      撮像可能表示
１０ｅ１      通常ＡＦ枠
１０ｆ１      足跡画像ＡＦ枠
１３   電源スイッチ
１０１ ＣＣＤ
１０２１      ＣＤＳ
１０２ Ｆ／Ｅ−ＩＣ
１０２−３    Ａ／Ｄ変換部
１０４ デジタルスチルカメラプロセッサ
１０４−１    第１ＣＣＤ信号処理ブロック
１０４−２    第２ＣＣＤ信号処理ブロック
１０４−３    ＣＰＵブロック
１０４−５    ＵＳＢブロック
１０４−６    シリアルブロック
１０４−７    ＣＯＤＥＣブロック
１０４−９    ＴＶ信号表示ブロック
１０４−１０  メモリカードコントローラブロック
１０３ ＳＤＲＡＭ
１０８ ＲＯＭ
１１７ ＬＣＤドライバ
１１８ ビデオアンプ
１１９ ビデオジャック
１２０ 内蔵メモリ
１２２ ＵＳＢコネクタ
１２３−１    シリアルドライバ回路
１２３−２    ＲＳ−２３２Ｃコネクタ
１９１ メモリカードスロット
１９２ メモリカード
２０１ 足跡
２０２ 足跡スケール
２０１１      足跡画像
２０２１      足跡スケール画像
２０３ バーコード
３０１ 画像データ
５０２ ＲＦＩＤタグ
１１１ コンピュータ
１１３ インタフェース
１２１ 画像出力装置
【先行技術文献】
【特許文献】
【０１４４】
【特許文献１】特開昭６２−５９９３８号公報
【図１】
2015159345.tif 000003
【図２】
2015159345.tif 000004
【図３】
2015159345.tif 000005
【図４】
2015159345.tif 000006
【図５】
2015159345.tif 000007
【図６】
2015159345.tif 000008
【図７】
2015159345.tif 000009
【図８】
2015159345.tif 000010
【図９】
2015159345.tif 000011
【図１０】
2015159345.tif 000012
【図１１】
2015159345.tif 000013
【図１２】
2015159345.tif 000014
【図１３】
2015159345.tif 000015
【図１４】
2015159345.tif 000016
【図１５】
2015159345.tif 000017
【図１６】
2015159345.tif 000018
【図１７】
2015159345.tif 000019
【図１８】
2015159345.tif 000020
【図１９】
2015159345.tif 000021
【図２０】
2015159345.tif 000022
【図２１】
2015159345.tif 000023
【図２２】
2015159345.tif 000024
【図２３】
2015159345.tif 000025
【図２４】
2015159345.tif 000026